(57)【要約】【課題】睡眠時無呼吸症候群の症状を改善する。【解決手段】睡眠時無呼吸症候群症状改善用補助器具１は、患者の上下の前歯によって挟持される被挟持部１０と、患者の軟口蓋近傍まで延びるとともに、舌を覆うように硬口蓋へ向けて湾曲して患者の左右方向に延びる板状の弾性体からなる舌押圧部２０とを備えている。【選択図】図８
2020044031.tif 000002
【特許請求の範囲】
【請求項１】
睡眠時無呼吸症候群患者の口腔に挿入される睡眠時無呼吸症候群症状改善用補助器具であって、
患者の上下の前歯によって挟持される被挟持部と、
上記被挟持部から患者の軟口蓋近傍まで延びるとともに、舌を覆うように硬口蓋へ向けて湾曲して患者の左右方向に延びる板状の弾性体からなる舌押圧部とを備えていることを特徴とする睡眠時無呼吸症候群症状改善用補助器具。
【請求項２】
請求項１に記載の睡眠時無呼吸症候群症状改善用補助器具において、
上記被挟持部の前端部は、口唇から口腔外に臨むように配置され、
上記被挟持部には、上記前端部から口腔内まで延びる空気通路が形成されていることを特徴とする睡眠時無呼吸症候群症状改善用補助器具。
【請求項３】
請求項２に記載の睡眠時無呼吸症候群症状改善用補助器具において、
上記空気通路は、口腔内における上記舌押圧部よりも硬口蓋側に連通するように形成されていることを特徴とする睡眠時無呼吸症候群症状改善用補助器具。
【請求項４】
請求項１から３のいずれか１つに記載の睡眠時無呼吸症候群症状改善用補助器具において、
上記被挟持部には、上の前歯が挿入される上側凹部が形成されていることを特徴とする睡眠時無呼吸症候群症状改善用補助器具。
【請求項５】
請求項１から４のいずれか１つに記載の睡眠時無呼吸症候群症状改善用補助器具において、
上記被挟持部には、下の前歯が挿入される下側凹部が形成されていることを特徴とする睡眠時無呼吸症候群症状改善用補助器具。
【請求項６】
請求項１から５のいずれか１つに記載の睡眠時無呼吸症候群症状改善用補助器具において、
上記舌押圧部は、芯材を備えていることを特徴とする睡眠時無呼吸症候群症状改善用補助器具。
【請求項７】
請求項６に記載の睡眠時無呼吸症候群症状改善用補助器具において、
上記舌押圧部は、エラストマーからなる外層部を備え、
上記芯材は、上記外層部を構成するエラストマーよりも硬い材料で構成され、該外層部に埋め込まれていることを特徴とする睡眠時無呼吸症候群症状改善用補助器具。
【請求項８】
請求項１から７のいずれか１つに記載の睡眠時無呼吸症候群症状改善用補助器具において、
上記舌押圧部は、左右方向の長さが口腔の奥側へ行くほど短くなるように、かつ、前歯へ近づくほど短くなるように形成されていることを特徴とする睡眠時無呼吸症候群症状改善用補助器具。
【請求項９】
請求項１から８のいずれか１つに記載の睡眠時無呼吸症候群症状改善用補助器具において、
上記舌押圧部には複数の貫通孔が互いに間隔をあけて形成されていることを特徴とする睡眠時無呼吸症候群症状改善用補助器具。
【請求項１０】
請求項１から９のいずれか１つに記載の睡眠時無呼吸症候群症状改善用補助器具において、
上記舌押圧部に設けられ、患者のバイタルサインと唾液成分との少なくとも一方を検出する検出部を備えていることを特徴とする睡眠時無呼吸症候群症状改善用補助器具。
【請求項１１】
請求項１０に記載の睡眠時無呼吸症候群症状改善用補助器具において、
上記検出部による検出結果を外部に送信する送信部を備えていることを特徴とする睡眠時無呼吸症候群症状改善用補助器具。
【請求項１２】
請求項１０または１１に記載の睡眠時無呼吸症候群症状改善用補助器具において、
上記舌押圧部には、唾液が溜まる唾液溜まり部が設けられ、該唾液溜まり部に唾液成分を検出する検出部が設けられていることを特徴とする睡眠時無呼吸症候群症状改善用補助器具。
【発明の詳細な説明】
【技術分野】
【０００１】
本発明は、睡眠時無呼吸症候群の症状の改善を補助する器具に関するものであり、特に、睡眠中に口腔内に挿入して使用される器具の構造の技術分野に属する。
【背景技術】
【０００２】
通常、就寝時の体勢が仰臥位である場合に、就寝後、全身の筋肉が弛緩すると、舌根部が重力の影響を受けて下がり気味になる。この下がり気味になった舌が気道を閉塞すると無呼吸状態になることがあり、これが睡眠時無呼吸症候群の症状である。
【０００３】
睡眠時無呼吸症候群の症状を改善する装置として、例えば、ＣＰＡＰ（Ｃｏｎｔｉｎｕｏｕｓ  Ｐｏｓｉｔｉｖｅ  Ａｉｒｗａｙ  Ｐｒｅｓｓｕｒｅ）装置が知られている（例えば特許文献１参照）。ＣＰＡＰ装置は、顔にマスクあるいは鼻カニューレを装着し、ファンで空気を強制的に気道に送り込むように構成されている。具体的には、送風用のファンを内蔵した筐体を患者から離れた所に置き、その筐体と顔に宛てがうマスクとがホースによって接続されている。そして、そのホースを経由して空気を患者の気道に送り込むことによって睡眠時無呼吸症候群の症状を改善するようにしている。
【０００４】
ＣＰＡＰ装置のマスクは、様々な形状のものが市販されており、患者は自分の顔の形や好みに合うマスク等を任意に選択して使用することができるが、顔にマスクを装着することの違和感があり、また、ホースが常に顔付近にあることの違和感もあり、これらによって睡眠が妨げられることがある。さらに、ファンを駆動するモータや、モータに電源を供給する電源部も必要であることから大掛かりな装置になり、コスト高となる。
【０００５】
そこで、ＣＰＡＰ装置よりも違和感が少なく、かつ、低コストで睡眠時無呼吸症候群の症状を改善する器具として、例えば、特許文献２〜４に開示されているように、睡眠時に口腔に挿入される器具が知られている。
【０００６】
特許文献２に開示されている器具は、軟口蓋へ当接する制振部材を保持して口蓋へ沿うように湾曲するアーチ部と、該アーチ部の左右両端に配置されて左右の臼後空隙へ収容する一対の顎通過部とを備えている。顎通過部には、前方へ屈曲して口腔前庭へ収容されるアーム部が形成されている。さらにアーチ部には、軟口蓋へ沿うように湾曲した反力板が固定されており、この反力板の反力によって睡眠時に舌が下がりにくくしている。
【０００７】
また、特許文献３、４に開示されている器具は、口に挿入される弾性体で構成されており、その前端部は前歯によって上下方向に挟持される口腔挿入弾性体を有し、後端部は軟口蓋に接近するまで延びるように形成された口腔挿入弾性体で構成されている。この器具の後端部近傍で舌を押さえることで睡眠時に舌が下がりにくくしている。
【先行技術文献】
【特許文献】
【０００８】
【特許文献１】特開２０１６−０３４４１１号公報
【特許文献２】特開２０１３−１０６８１１号公報
【特許文献３】特開２０１７−１０４３０８号公報
【特許文献４】特開２０１６−０９３３９７号公報
【発明の概要】
【発明が解決しようとする課題】
【０００９】
特許文献２〜４のように口腔内に挿入される睡眠時無呼吸症候群症状改善用補助器具を使用することで、特許文献１のようなファン、モーター、電源部等を備えた大掛かりなＣＰＡＰ装置を用いることなく、睡眠時無呼吸症候群の症状の改善が見込まれる。
【００１０】
しかしながら、睡眠時無呼吸症候群の場合、睡眠時に舌が下がることによって症状が悪化する場合があり、特許文献２〜４のように舌が下がるのを抑制する構造を設ける場合がある。特許文献２では、反力板により舌根を押圧するようにしているが、舌根が設けられている保持部材は上の歯に対して係合し、下の歯に対しては係合していないので、反力板が口腔内で不安定になり、ひいては舌が下がるのを抑制する効果が低下するおそれがある。
【００１１】
また、特許文献３、４では、口唇挟持弾性体を設けているので、口腔挿入弾性体を口腔内で安定させることができる。しかしながら、睡眠時無呼吸症候群の症状を改善するためには、睡眠時に舌が下がるのを抑制する効果をより一層高めたいという要求があった。
【００１２】
本発明は、かかる点に鑑みてなされたものであり、その目的とするところは、睡眠時無呼吸症候群の症状をより一層改善できるようにすることにある。
【課題を解決するための手段】
【００１３】
上記目的を達成するために、本発明では、上下の前歯によって挟持される被挟持部から軟口蓋近傍まで延びる舌押圧部を湾曲する板状にした。
【００１４】
第１の発明は、睡眠時無呼吸症候群患者の口腔に挿入される睡眠時無呼吸症候群症状改善用補助器具であって、患者の上下の前歯によって挟持される被挟持部と、上記被挟持部から患者の軟口蓋近傍まで延びるとともに、舌を覆うように硬口蓋へ向けて湾曲して患者の左右方向に延びる板状の弾性体からなる舌押圧部とを備えていることを特徴とする。
【００１５】
この構成によれば、睡眠時無呼吸症候群症状改善用補助器具を睡眠時無呼吸症候群患者の口腔に挿入し、被挟持部を上下の前歯で噛むことで睡眠時無呼吸症候群改善用補助器具が口腔内で固定されるので、口腔内で舌押圧部が安定する。睡眠時無呼吸症候群改善用補助器具が口腔内で固定されると、舌押圧部が患者の軟口蓋近傍まで延び、さらに、舌を覆うように硬口蓋へ向けて湾曲して患者の左右方向に延びることになる。これにより、舌の一部が舌押圧部に収容されるようになるとともに、舌の広範囲が舌押圧部によって押圧された状態になる。従って、就寝時の体勢が仰臥位であったとしても舌が下がり難くなる。
【００１６】
第２の発明は、上記被挟持部の前端部は、口唇から口腔外に臨むように配置され、上記被挟持部には、上記前端部から口腔内まで延びる空気通路が形成されていることを特徴とする。
【００１７】
この構成によれば、被挟持部を上下の前歯で噛んで睡眠時無呼吸症候群改善用補助器具が口腔内で固定された状態で、空気通路によって口呼吸が可能になる。
【００１８】
第３の発明は、上記空気通路は、口腔内における上記舌押圧部よりも硬口蓋側に連通するように形成されていることを特徴とする。
【００１９】
この構成によれば、外部からの空気が気道へ向けてスムーズに流れるとともに、気道からの空気が外部へ向けてスムーズに流れるようになる。
【００２０】
第４の発明は、上記被挟持部には、上の前歯が挿入される上側凹部が形成されていることを特徴とする。
【００２１】
この構成によれば、被挟持部を歯で噛むと、上の前歯が被挟持部の上側凹部に挿入されて該上側凹部に嵌まった状態になる。これにより、被挟持部の位置ずれが起こり難くなるので、睡眠時無呼吸症候群の症状の改善効果がより一層高まる。
【００２２】
第５の発明は、上記被挟持部には、下の前歯が挿入される下側凹部が形成されていることを特徴とする。
【００２３】
この構成によれば、被挟持部を歯で噛むと、下の前歯が被挟持部の下側凹部に挿入されて該下側凹部に嵌まった状態になる。これにより、被挟持部の位置ずれが起こり難くなるので、睡眠時無呼吸症候群の症状の改善効果がより一層高まる。
【００２４】
第６の発明は、上記舌押圧部は、芯材を備えていることを特徴とする。
【００２５】
この構成によれば、芯材によって舌押圧部の強度が高まるので、舌の押圧力が高まる。
【００２６】
第７の発明は、上記舌押圧部は、エラストマーからなる外層部を備え、上記芯材は、上記外層部を構成するエラストマーよりも硬い材料で構成され、該外層部に埋め込まれていることを特徴とする。
【００２７】
この構成によれば、芯材がエラストマーにより覆われるので、睡眠時無呼吸症候群症状改善用補助器具を口腔内に挿入したときに芯材が粘膜等に触れることによる違和感を無くすことができる。
【００２８】
第８の発明は、上記舌押圧部は、左右方向の長さが口腔の奥側へ行くほど短くなるように、かつ、前歯へ近づくほど短くなるように形成されていることを特徴とする。
【００２９】
この構成によれば、口腔の奥側において舌押圧部の幅が狭くなるので、使用時の違和感を低減することができる。また、舌押圧部の幅が前歯へ近づくほど狭くなるので、歯の並びに近い形状になり、このことによっても使用時の違和感を低減することができる。
【００３０】
第９の発明は、上記舌押圧部には複数の貫通孔が互いに間隔をあけて形成されていることを特徴とする。
【００３１】
この構成によれば、唾液が貫通孔の中に溜まるようになり、自然と口腔内が潤うようになる。
【００３２】
第１０の発明は、上記舌押圧部に設けられ、患者のバイタルサインと唾液成分との少なくとも一方を検出する検出部を備えていることを特徴とする。
【００３３】
この構成によれば、舌押圧部は全てが口腔内に位置しているので、この舌押圧部に検出部を設けておくことで、口腔内において脈拍や血中酸素等のバイタルサインを検出することが可能になる。これにより、患者の状態を早期にかつ確実に得ることができる。また、検出部によって唾液成分、例えばバイオマーカーやグルコース等も検出することも可能である。
【００３４】
すなわち、睡眠時無呼吸症候群の患者は、睡眠時無呼吸症候群症状改善用補助器具を使用していたとしても急に症状が悪化する可能性もあり、そのことをいち早く把握するために睡眠中のバイタルサインを検出しておきたいという要求がある。バイタルサインとしては、例えば、体温、心拍、脈拍、血圧、血中酸素等があり、人間が生存していることを示す信号、人間が正常な状態であるか否かを示す信号である。
【００３５】
また、近年では、唾液で測定可能な複数のバイオマーカーも発見されており、唾液中の成分を分析して各バイオマーカーの高低を測定することで様々な症状の早期発見が可能になっている。
【００３６】
さらに、唾液中には、血液よりもはるかに微量ながらグルコースも含まれており、この唾液中に含まれるグルコースの量を測定することで血糖値を推定することができる。すなわち、血液の代わりに唾液を採取することで糖尿病の診断を行うことができる。
【００３７】
第１１の発明は、上記検出部による検出結果を外部に送信する送信部を備えていることを特徴とする。
【００３８】
この構成によれば、検出部によって検出された結果が送信部によって外部に送信されるので、例えば病院等の外部端末でバイタルサイン等を医療従事者が確認することができる。また、バイタルサイン等を患者自らが確認することもできる。
【００３９】
第１２の発明は、上記舌押圧部には、唾液が溜まる唾液溜まり部が設けられ、該唾液溜まり部に唾液成分を検出する検出部が設けられていることを特徴とする。
【００４０】
この構成によれば、唾液溜まり部に溜まった唾液の成分を検出部によって確実に検出することが可能になる。
【発明の効果】
【００４１】
本発明によれば、患者の上下の前歯によって挟持される被挟持部から軟口蓋近傍まで延びるとともに、舌を覆うように硬口蓋へ向けて湾曲して患者の左右方向に延びる板状の弾性体からなる舌押圧部を備えているので、睡眠時に舌が下がるのを抑制する効果をより一層高めることができ、睡眠時無呼吸症候群の症状をより一層改善できる。
【図面の簡単な説明】
【００４２】
【図１】本発明の実施形態１に係る睡眠時無呼吸症候群症状改善用補助器具を前側から見た斜視図である。
【図２】睡眠時無呼吸症候群症状改善用補助器具を後側から見た斜視図である。
【図３】睡眠時無呼吸症候群症状改善用補助器具の平面図である。
【図４】睡眠時無呼吸症候群症状改善用補助器具の左側面図である。
【図５】図３におけるV−V線断面図である。
【図６】図３におけるIV−IV線断面図である。
【図７】伏臥位で睡眠中における健常者の咽頭付近の説明図である。
【図８】睡眠時無呼吸症候群症状改善用補助器具を挿入した状態を示す患者の咽頭付近の説明図である。
【図９】実施形態１の変形例１に係る図６相当図である。
【図１０】実施形態１の変形例１に係る検出部のブロック図である。
【図１１】実施形態１の変形例１に係る図８相当図である。
【図１２】実施形態１の変形例２に係る図６相当図である。
【図１３】実施形態１の変形例３に係る図６相当図である。
【図１４】実施形態１の変形例４に係る図６相当図である。
【図１５】実施形態１の変形例５に係る図６相当図である。
【図１６】本発明の実施形態２に係る図１相当図である。
【図１７】実施形態２に係る図４相当図である。
【図１８】実施形態２に係る睡眠時無呼吸症候群症状改善用補助器具の正面図である。
【図１９】図１８におけるXIX−XIX線断面図である。
【発明を実施するための形態】
【００４３】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４４】
（実施形態１）
図１は本発明の実施形態１に係る睡眠時無呼吸症候群症状改善用補助器具１を前側から見た斜視図であり、図２は後側から見た斜視図であり、図３は平面図であり、図４は左側面図である。睡眠時無呼吸症候群症状改善用補助器具１は、図８に示すように睡眠時無呼吸症候群患者１００の口腔１０１に挿入されるものである。この実施形態の説明では、睡眠時無呼吸症候群症状改善用補助器具１を口腔１０１に挿入した状態で、挿入方向手前側（図８における上側）を「前」といい、挿入方向奥側（図８における下側）を「後」というものとする。また、睡眠時無呼吸症候群症状改善用補助器具１を口腔１０１に挿入した状態で、患者１００の右側を単に「右」といい、患者１００の左側を単に「左」というものとする。また、「上」とは上顎側、「下」とは下顎側とする。
【００４５】
一般に、就寝し、睡眠状態に入ると全身の筋肉が弛緩する。仰臥位で就寝し睡眠状態に入ったときには、健常者の場合は、図１１に示すように、舌１０２の後部である舌根部１０３が下方に下がらず咽頭の気道１０４を閉塞していない。一方、睡眠時無呼吸症の患者１００の場合は、舌根部１０３の位置を変える働きをする筋肉が弛緩し重力の影響を受けて舌根部１０３が下方に垂れて、舌根部１０３が咽頭の気道１０４を閉塞する。このときに軟口蓋１０５や口蓋垂１０６も垂れ下がり咽頭の気道１０４を閉塞することがある。気道１０４が閉塞されると肺まで流動すべき空気が遮断されるため睡眠時無呼吸症になる。
【００４６】
舌１０２の位置を変える働きをする筋肉を外下筋といい、外下筋には、舌１０２を後方に引く茎突舌筋、舌１０２を下に引く舌滑舌筋、舌１０２の外側縁に付いて舌背を持ち上げる口蓋舌筋、舌１０２を前に突出させるオトガイ舌筋があり、このうち、舌１０２の後部を指す舌根部１０３に大きく影響を与える筋肉が、茎突舌筋、舌滑舌筋、口蓋舌筋である。就寝し睡眠状態に入ると全身の筋肉が弛緩するので、これらの筋肉も弛緩する。図７に示す符号１２０は硬口蓋であり、軟口蓋１０５よりも前にある。
【００４７】
睡眠時無呼吸症候群症状改善用補助器具１は、患者１００の上の前歯１１０及び下の前歯１１１（図８に示す）によって挟持される被挟持部１０と、被挟持部１０から患者１００の軟口蓋１０５近傍まで延び、舌１０２を押圧する弾性体からなる舌押圧部２０とを備えている。舌押圧部２０は、舌１０２を覆うように硬口蓋１２０へ向けて湾曲して患者１００の左右方向に延びる板状に形成されている。被挟持部１０の前端部１１は、口唇１１２から口腔１０１外に臨むように配置される部分である。被挟持部１０には、前端部１１から口腔１０１内まで延びる空気通路１１ｃが形成されている。空気通路１１ｃは、口腔１０１内における舌押圧部２０よりも硬口蓋１２０側に連通するように形成されている。
【００４８】
睡眠時無呼吸症候群症状改善用補助器具１の被挟持部１０と舌押圧部２０とは一体に成形することができるが、これに限られるものではなく、例えば、被挟持部１０と舌押圧部２０とを別々に成形しておき、その後、溶着、接着、結合等の方法によって一体化することもできる。被挟持部１０と舌押圧部２０は、例えば射出成形法や３Ｄプリンターによって得ることができる。
【００４９】
睡眠時無呼吸症候群症状改善用補助器具１の被挟持部１０と舌押圧部２０とは同じ材料で構成されていてもよいし、異なる材料で構成されていてもよい。被挟持部１０と舌押圧部２０を構成する材料としては、可撓性を有する弾性体であればよく、例えば、合成ゴムや合成樹脂発泡体（エラストマー）等を挙げることができる。それらの中で生理的にも安全であり、臭いが殆ど無いシリコーンゴムが最も適している。また、被挟持部１０と舌押圧部２０の厚みは、薄すぎると頬を押し広げて外方向に膨らませることが困難となり、かつ気道１０４の確保が困難となる。一方、被挟持部１０と舌押圧部２０の厚みが厚すぎると可撓性が低下しゴム硬度が高くなるので容易に湾曲させることが困難になり口腔１０１内に挿入しにくくなる。よって、被挟持部１０と舌押圧部２０の厚みは、２ｍｍ以上、好ましくは５ｍｍ前後が適している。また、被挟持部１０と舌押圧部２０の材料のゴム硬度は８度〜１３度程度が好ましい。
【００５０】
図１〜図４等に示すように、睡眠時無呼吸症候群症状改善用補助器具１の被挟持部１０は、左右方向に長い扁平断面を有している。図８に示すように睡眠時無呼吸症候群症状改善用補助器具１を口腔１０１に挿入した状態で、被挟持部１０の前端部１１は、上唇と下唇との間から口腔１０１外に臨むように配置される部分となる。この被挟持部１０の前端部１１に、空気通路１１ｃの一端部（前端部）が開口している。従って、空気通路１１ｃは、口腔１０１外の空気を取り込むことが可能になっている。
【００５１】
図３や図４に示すように、被挟持部１０は、睡眠時無呼吸症候群症状改善用補助器具１の前端部から前後方向中間部までの範囲に形成されている。睡眠時無呼吸症候群症状改善用補助器具１における被挟持部１０よりも後側の部分が舌押圧部２０となっている。被挟持部１０が形成された範囲と、舌押圧部２０が形成された範囲とは、任意に設定することができる。また、被挟持部１０の前後方向の長さと、舌押圧部２０の前後方向の長さとは異なっていてもよいし、同じにしてもよい。患者１００の体格や睡眠時無呼吸症の症状等に合わせて被挟持部１０の前後方向の長さ及び舌押圧部２０の前後方向の長さを設定することができる。被挟持部１０の前後方向の長さを舌押圧部２０よりも長くしてもよいし、短くしてもよい。
【００５２】
被挟持部１０の上下方向の寸法（厚み）は、舌押圧部２０の厚みよりも厚くなっている。これは、被挟持部１０に空気通路１１ｃを形成するためであるとともに、上の前歯１１０及び下の前歯１１１（図８に示す）で噛んで保持しやすくするためである。被挟持部１０の後端面は、下に行くほど前に位置するように傾斜した傾斜面で構成することもできる。
【００５３】
具体的には、正面から見たとき、被挟持部１０の前端部１１は上下方向に延びるとともに、左右方向にも延びるように形成されている。さらに、被挟持部１０の前端部１１は、左右方向中央部が最も前に位置し、その中央部から左端へ行くほど、及び右端へ行くほど後に位置するように湾曲している。また、図６に示すように、空気通路１１ｃは、被挟持部１０の前端部１１の上下方向中間部に形成されている。空気通路１１ｃの前端部は、前端部１１の前面に開口している。空気通路１１ｃはその前端部から後方向へ延びている。空気通路１１ｃの後端部は、被挟持部１０の前端部１１の後面に開口している。空気通路１１ｃは直線状に延びていてもよいし、屈曲しながら延びていてもよい。この実施形態では、被挟持部１０が３つの空気通路１１ｃを有しており、これら空気通路１１ｃは、被挟持部１０の左右方向に並ぶように形成されている。中央の空気通路１１ｃは、被挟持部１０の左右方向の中央部に位置しており、左の空気通路１１ｃは、中央の空気通路１１ｃから所定寸法だけ左側に離れて配置され、右の空気通路１１ｃは、中央の空気通路１１ｃから所定寸法だけ右側に離れて配置されている。尚、空気通路１１ｃの数は２つ以下であってもよいし、４つ以上であってもよい。また、空気通路１１ｃの断面形状は、例えば矩形であってもよいし、円形であってもよい。
【００５４】
被挟持部１０の前端部１１は、空気通路１１ｃよりも上へ突出する上側突出板部１１ａと、空気通路１１ｃよりも下へ突出する下側突出板部１１ｂとを有している。上側突出板部１１ａは、上端へ行くほど後に位置するように傾斜している。また、下側突出板部１１ｂは、下端へ行くほど後に位置するように傾斜している。上側突出板部１１ａ及び下側突出板部１１ｂは、口唇１１２から口腔１０１外に飛び出すようになっている。したがって、上側突出板部１１ａの後面が上唇に接触し下側突出板部１１ｂの後面が下唇に接触するようになっている。上側突出板部１１ａの上下方向の寸法は、下側突出板部１１ｂの上下方向の寸法よりも長く設定されている。
【００５５】
被挟持部１０には、上の前歯１１０が挿入される上側凹部１２と、下の前歯１１１が挿入される下側凹部１３とが形成されている。上側凹部１２は上方に向けて開放しており、上側凹部１２の上方から上の前歯１１０を挿入すると、上の前歯１１０が上側凹部１２に嵌まるようになっている。下側凹部１３は下方に向けて開放しており、下側凹部１３の下方から下の前歯１１１を挿入すると、下の前歯１１１が下側凹部１３に嵌まるようになっている。
【００５６】
上側凹部１２は、上の前歯１１０の並びに対応するように、左右方向中央部が最も前に位置し、そこから左端へ行くほど、及び右端へ行くほど後に位置するように湾曲している。また、下側凹部１３は、下の前歯１１１の並びに対応するように、左右方向中央部が最も前に位置し、そこから左端へ行くほど、及び右端へ行くほど後に位置するように湾曲している。これにより、上側凹部１２及び下側凹部１３にそれぞれ上の前歯１１０及び下の前歯１１１を挿入した際に違和感が少なくなる。
【００５７】
上側凹部１２の前後方向の寸法は上端へ行くほど長く設定されている。また、下側凹部１３の前後方向の寸法は下端へ行くほど長く設定されている。これにより、上の前歯１１０及び下の前歯１１１を容易に挿入することができる。また、上側凹部１２及び下側凹部１３の前後方向の寸法は、一般的な成人の歯１１０、１１１の大きさを考慮して設定されている。
【００５８】
また、上側凹部１２は、下側凹部１３よりも後に位置している。これにより、上の前歯１１０を上側凹部１２に挿入し、下の前歯１１１を被挟持部１０の下側凹部１３に挿入すると、上の前歯１１０の下が下の前歯１１１の上よりも若干後に位置することになる。つまり、下の前歯１１１が上の前歯１１０よりも前に出るように、下顎が前に移動する。これにより、睡眠時無呼吸症候群の症状をより効果的に改善することができる。尚、下の前歯１１１が上の前歯１１０よりも後に位置するように、上側凹部１２及び下側凹部１３の位置を設定してもよい。
【００５９】
被挟持部１０の上側凹部１２よりも後側には、上側隆起部１４が形成されている。この上側隆起部１４と、上側突出板部１１ａとの間に上側凹部１２が形成されることになり、上の前歯１１０を上側凹部１２に挿入すると、上の前歯１１０の裏側に上側隆起部１４が位置することになる。上側隆起部１４の前後方向の寸法は、上側へ行くほど短くなっている。
【００６０】
被挟持部１０の下側凹部１３よりも後側には、下側隆起部１５が形成されている。この下側隆起部１５と、下側突出板部１１ｂとの間に下側凹部１３が形成されることになり、下の前歯１１１を下側凹部１３に挿入すると、下の前歯１１１の裏側に下側隆起部１５が位置することになる。下側隆起部１５の上下方向の寸法は、上側隆起部１４の上下方向の寸法よりも長く設定されている。下側隆起部１５の後部に、舌押圧部２０の前端部が連なり、一体化されている。舌押圧部２０の前端部は、舌押圧部２０の基端部である。
【００６１】
図６に示すように、空気通路１１ｃの後端部は、上側隆起部１４と下側隆起部１５との間で開口しており、空気通路１１ｃの後端部の位置は、舌押圧部２０の前端部の上方に位置している。これにより、口腔１０１内の舌押圧部２０よりも上方の空間、即ち、硬口蓋１２０よりも上方の空間に連通することになる。
【００６２】
図８に示すように睡眠時無呼吸症候群症状改善用補助器具１を口腔１０１に挿入した状態で、空気通路１１ｃの後端部は、口腔１０１の内部で開口することになる。よって、空気通路１１ｃを介して口腔１０１の内部と外部とが連通するので、患者１００は、口唇１１２を閉じた状態で空気通路１１ｃによって口呼吸することができる。
【００６３】
図３に示すように、舌押圧部２０の左右方向の寸法は、被挟持部１０の左右方向の寸法と同等に設定することができる。舌押圧部２０の右端部は右側へ延出し、舌押圧部２０の左端部は左側へ延出しており、舌押圧部２０の右端部及び左端部は板状に成形されている。また、舌押圧部２０の左右方向の中央部も板状をなしており、図５に示すように、舌押圧部２０の左右方向の中央部は、右端部及び左端部よりも厚く形成されている。また、舌押圧部２０は同図に示すように左右方向中央部が最も上に位置し、右端部へ接近するほど、及び左端部へ接近するほど下に位置するように緩やかに湾曲している。舌押圧部２０の左右方向の寸法は、例えば３０ｍｍ〜５０ｍｍ程度に設定することができる。
【００６４】
図６に示すように、舌押圧部２０は、前後方向中央部が最も上に位置し、前端部へ接近するほど、及び後端部へ接近するほど下に位置するように緩やかに湾曲している。
【００６５】
また、舌押圧部２０は、左右方向の長さが口腔１０１の奥側へ行くほど短くなるように、かつ、前歯１１０、１１１へ近づくほど短くなるように形成されている。つまり、舌押圧部２０の幅は前後方向中央部が最も広くなるように設定されている。これにより、口腔１０１の奥側において舌押圧部２０の幅が狭くなるので、使用時の違和感を低減することができる。また、舌押圧部２０の幅が前歯１１０、１１１へ近づくほど狭くなるので、歯１１０、１１１の並びに近い形状になり、このことによっても使用時の違和感を低減することができる。
【００６６】
図１や図２に示すように、舌押圧部２０の右側には、複数の右側貫通孔２１が前後方向に互いに間隔をあけて形成されている。また、舌押圧部２０の左側には、複数の左側貫通孔２２が前後方向に互いに間隔をあけて形成されている。右側貫通孔２１及び左側貫通孔２２は、舌押圧部２０の上面及び下面に開口している。尚、右側貫通孔２１及び左側貫通孔２２は、省略してもよい。
【００６７】
舌押圧部２０の口腔への挿入方向奥側の端部には、図示しないが、窪み部を形成することができる。窪み部は、舌押圧部２０の奥側の縁部が喉の奥に当たらないように、または当たりにくくするための部分であり、切欠部や凹み部等で構成することもできる。窪み部の深さは５ｍｍ以上１０ｍｍ以下に設定することができる。
【００６８】
図５や図６に示すように、舌押圧部２０は、エラストマーからなる外層部２４と、該外層部２４を構成するエラストマーよりも硬い材料で構成され、該外層部２４に埋め込まれている芯材２５とを備えている。芯材２５は、例えばポリプロピレン等の樹脂材で構成することができるが、これに限らず、例えば金属材や樹脂と金属の複合材等であってもよい。芯材２５は弾性を備えているのが好ましい。芯材２５は、板状に形成されており、舌押圧部２０の左右方向中央部において前後方向に延びている。この芯材２５によって舌押圧部２０の強度が高まり、睡眠時の舌１０２を舌押圧部２０によって確実に押すことができる。芯材２５は全体が外層部２４に埋め込まれており、従って芯材２５は柔らかい部材によって被覆された状態になっている。これにより、図８に示すように睡眠時無呼吸症候群症状改善用補助器具１を口腔１０１に挿入した状態で、芯材２５が口腔１０１内の粘膜等に接触しないようになる。
【００６９】
芯材２５の前側は、上の前歯１１０及び下の前歯１１１で挟まれる部分に達するまで延びていてもよい。これにより、芯材２５を上の前歯１１０及び下の前歯１１１で挟んで位置決めすることができる。
【００７０】
（睡眠時無呼吸症候群症状改善用補助器具１の使用方法及び作用効果）
図８に示すように、睡眠時無呼吸症候群症状改善用補助器具１を睡眠時無呼吸症候群患者１００の口腔１０１に挿入する。そして、患者１００が上の前歯１１０及び下の前歯１１１によって被挟持部１０を噛むことで被挟持部１０が挟持されて睡眠時無呼吸症候群症状改善用補助器具１が固定される。このとき、上の前歯１１０が被挟持部１０の上側凹部１２に挿入され、下の前歯１１１が被挟持部１０の下側凹部１３に挿入されるので、上の前歯１１０が上側凹部１２に嵌まり、下の前歯１１１が下側凹部１３に嵌まり、このことで被挟持部１０と前歯１００、１１１との相対的な位置ずれが抑制される。
【００７１】
そして、空気通路１１ｃによって呼吸を行うことができる。また、睡眠時無呼吸症候群改善用補助器具１が口腔１０１内で固定されると、舌押圧部２０が患者１００の軟口蓋１０６近傍まで延び、さらに、舌１０２を覆うように硬口蓋１２０へ向けて湾曲して患者１００の左右方向に延びている。これにより、舌１０２が舌押圧部２０に収容されるようになるとともに、舌１０２の広範囲が舌押圧部２０によって押圧された状態になる。従って、就寝時の体勢が仰臥位であったとしても舌１０２が下がり難くなる。これにより、睡眠時無呼吸症候群の症状が改善される。
【００７２】
また、唾液を分泌する唾液腺は、睡眠時無呼吸症候群症状改善用補助器具１を挿入する口腔１０１、舌１０２及び頬周りに、舌下腺や顎下腺の大唾液腺と、口唇腺、頬腺、口蓋腺、臼歯腺、舌腺などの口腔粘膜に多数散在している粘膜腺とも称される小唾液腺とがある。口腔１０１に挿入した睡眠時無呼吸症候群症状改善用補助器具１は弾力性を有するので舌１０２や歯などを動かすことによって口の中で形態を微妙に変えることから、睡眠時無呼吸症候群症状改善用補助器具１が、口唇１１２、頬、舌１０２、口蓋に広く分布している小唾液腺を刺激することになり、唾液が出やすくなる。これにより、唾液によって、食物の消化、口腔粘膜の摩擦・保護や歯の摩耗防止・保護、自浄作用による虫歯や歯周病の発生抑制、細菌の発生抑制、味の認知力低下防止、口腔内乾燥症の防止等の効果を奏することができる。
【００７３】
（実施形態１の変形例１）
図９〜図１１は、実施形態１の変形例１に係るものである。この変形例１では、睡眠時無呼吸症候群症状改善用補助器具１が、患者１００のバイタルサインと唾液成分との少なくとも一方を検出する検出部３０を備えている。検出部３０は、舌押圧部２０に設けられている。
【００７４】
検出部３０は、図９に示すように、芯材２５と同様に舌押圧部２０の外層部２４に埋め込まれている。また、検出部３０は、芯材２５の前後方向中間部に埋め込まれていて、芯材２５と一体化することもできる。検出部３０は、患者１００のバイタルサインと唾液成分との少なくとも一方を検出することができるように構成されたものであり、従来から周知のものを用いることができる。バイタルサインとは、例えば、睡眠時無呼吸時の酸素飽和度の測定値、体温、心拍、脈拍、血圧、血中酸素等があり、人間が生存していることを示す信号、人間が正常な状態であるか否かを示す信号である。また、唾液成分には、バイオマーカーやグルコース等が含まれる。唾液中の成分を分析してバイオマーカーの高低を測定することで様々な症状の早期発見が可能である。また、唾液中には、血液よりもはるかに微量ながらグルコースも含まれており、この唾液中に含まれるグルコースの量を測定することで血糖値を推定することができる。すなわち、血液の代わりに唾液を採取することで糖尿病の診断を行うことができる。バイオマーカーやグルコースの測定方法は、各種学術文献等に記載された方法を用いることができる。検出部３０としては、発光体や、磁力を発生するもの等を挙げることができる。検出可能な唾液成分は、例えばタンパク質、炭水化物、脂肪、ブドウ糖、多種な癌マーカー等を挙げることができる。
【００７５】
また、バイタルサインとして体温を測定する場合には、周知の体温計等に搭載されている温度センサを備える構成することができる。バイタルサインとして心拍や脈拍、血中酸素を測定する場合には、図１０に示すように、光を照射する照射部３１と、照射部３１から照射された光を受光する受光部３２とを備える構成とすることができる。すなわち、検出部３０は、照射部３１、受光部３２、制御部３３及び送信部３４を少なくとも備えている。照射部３１は、例えば赤外光を照射するＬＥＤ等で構成することができ、従来から血流測定等に用いられている発光素子とすることができる。受光部３２は、これも従来から血流測定等に用いられている受光素子で構成することができる。照射部３１及び受光部３２は舌１０２の表面に向けて配置されている。
【００７６】
制御部３３は、照射部３１に測定用の光を照射させるとともに、受光部３２で受光した光の強度を得て、受光部３２で受光した光の強度に基づいて舌１０２の血流を得るように構成されている。例えば血管を流れる血液は心臓の拍動によって脈動しており、この血管に照射部３１で測定用の光を照射すると、受光部３２では、血液の脈動に対応して光の強度が変化する。これを処理部３３ａが利用して所定の演算を行うことで心拍や脈拍、血中酸素を得ることができる。尚、光を照射して心拍や脈拍、血中酸素を測定する手法は、様々な機器で使用されており、その手法も様々あり、これらのうち、どの構成であっても本実施形態で使用することができる。尚、制御部３３には、電池等の電源を内蔵することができる。
【００７７】
送信部３４は、検出部３０による検出結果を外部に送信する送信モジュールである。送信部３４は、例えば外部の端末２００に対して無線で送信するように構成してもよいし、有線で送信するように構成してもよい。端末２００は、パーソナルコンピュータやタブレット端末、スマートフォン等を挙げることができる。
【００７８】
また、被挟持部１０は大部分が口腔１０１内に位置し、舌押圧部２０は全てが口腔１０１内に位置しているので、それらのうち、少なくとも一方に検出部３０を設けておくことで、口腔１０１内において脈拍や血中酸素等のバイタルサインを検出することが可能になる。これにより、患者１００の状態を早期にかつ確実に得ることができる。
【００７９】
また、バイタルサインを得る場合に、照射部３１による光の照射方向を脳に向かう方向とすることもできる。この光を受光して演算することで脳の血流を測定することもできる。
【００８０】
舌押圧部２０に唾液が溜まる唾液溜まり部を設け、この唾液溜まり部に唾液成分を検出する検出部３０を設けることもできる。唾液溜まり部は、舌押圧部２０の上面に開口する窪みや凹部等で構成することができる。就寝時の患者１００の唾液が唾液溜まり部に溜まるようになっている。検出部３０は唾液溜まり部の内面に臨むように設けられており、唾液溜まり部に溜まった唾液が確実に接触するように配置されている。この構成によれば、唾液成分（例えばタンパク質、炭水化物、脂肪、ブドウ糖、多種な癌マーカー等）を確実に検出することができる。
【００８１】
（実施形態１の変形例２）
図１２は、実施形態１の変形例２に係るものである。変形例２は、上側突出板部１１ａの上下方向の寸法を短くしており、上側突出板部１１ａの上端部が、上側隆起部１４の上端部と略同じ高さとなるように、上側突出板部１１ａの形状を設定している。
【００８２】
（実施形態１の変形例３）
図１３は、実施形態１の変形例３に係るものである。変形例３は、下側突出板部１１ｂの上下方向の寸法を短くしており、下側突出板部１１ｂの下端部が、下側隆起部１５の下端部と略同じ高さとなるように、下側突出板部１１ｂの形状を設定している。
【００８３】
（実施形態１の変形例４）
図１４は、実施形態１の変形例４に係るものである。変形例４は、上側突出板部１１ａの上下方向の寸法及び上側隆起部１４の上下方向の寸法を短くしている。上側突出板部１１ａの上端部は、上側隆起部１４の上端部よりも上に位置している。
【００８４】
（実施形態１の変形例５）
図１５は、実施形態１の変形例５に係るものである。変形例５は、上側突出板部１１ａの上下方向の寸法を短くする一方、上側隆起部１４の上下方向の寸法を長くしている。上側突出板部１１ａの上端部は、上側隆起部１４の上端部よりも下に位置している。
【００８５】
上述した変形例２〜５のように、上側突出板部１１ａ、下側突出板部１１ｂ、上側隆起部１４及び下側隆起部１５の上下方向の寸法は任意に設定することができ、上述した形態に限られるものではない。患者１００の体格や症状等に合わせて各部の寸法を設定することができる。
【００８６】
（実施形態２）
図１６〜図１９は、本発明の実施形態２に係る睡眠時無呼吸症候群症状改善用補助器具１を示すものである。この実施形態２では、空気通路１１ｃの形状や被挟持部１０の構造が実施形態１のものとは異なっており、他の部分は実施形態１と同じであることから、以下、実施形態１と同じ部分については実施形態１と同じ符号を付して説明を省略し、異なる部分について詳細に説明する。
【００８７】
実施形態２の空気通路１１ｃは、実施形態１のものよりも断面積が大きくなっており、空気の流通抵抗が低減されている。また、被挟持部１０の上側突出板部１１ａには、前後方向に貫通する複数の上側貫通孔１１ｄが左右方向に互いに間隔をあけて形成されている。下側突出板部１１ｂにも同様に、複数の下側貫通孔１１ｅが左右方向に互いに間隔をあけて形成されている。
【００８８】
被挟持部１０の前端部１１における空気通路１１ｃの側方には、切欠部１１ｆが形成されている。切欠部１１ｆと、空気通路１１ｃの前端部とが左右方向に並ぶように位置している。また、上側隆起部１４には、前後方向に貫通する貫通孔１４ａが形成されている。この実施形態２では、下側隆起部１５を省略しているが、下側隆起部１５を設けてもよい。
【００８９】
この実施形態２によれば、実施形態１と同様に、舌１０２が舌押圧部２０に収容されるようになるとともに、舌１０２の広範囲が舌押圧部２０によって押圧された状態になるので、就寝時の体勢が仰臥位であったとしても舌１０２が下がり難くなる。これにより、睡眠時無呼吸症候群の症状が改善される。
【００９０】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００９１】
以上説明したように、本発明に係る睡眠時無呼吸症候群症状改善用補助器具は、睡眠時無呼吸症候群の患者に対して使用することができる。
【符号の説明】
【００９２】
１            睡眠時無呼吸症候群
１０          被挟持部
１１ｃ        空気通路
１２          上側凹部
１３          下側凹部
２０          舌押圧部
２１          右側貫通孔
２２          左側貫通孔
２４          外層部
２５          芯材
３０          検出部
３４          送信部
１００        患者
１０１        口腔
１０２        舌
１０６        軟口蓋
１２０        硬口蓋
【図１】
2020044031.tif 000003
【図２】
2020044031.tif 000004
【図３】
2020044031.tif 000005
【図４】
2020044031.tif 000006
【図５】
2020044031.tif 000007
【図６】
2020044031.tif 000008
【図７】
2020044031.tif 000009
【図８】
2020044031.tif 000010
【図９】
2020044031.tif 000011
【図１０】
2020044031.tif 000012
【図１１】
2020044031.tif 000013
【図１２】
2020044031.tif 000014
【図１３】
2020044031.tif 000015
【図１４】
2020044031.tif 000016
【図１５】
2020044031.tif 000017
【図１６】
2020044031.tif 000018
【図１７】
2020044031.tif 000019
【図１８】
2020044031.tif 000020
【図１９】
2020044031.tif 000021